(57)【要約】    【課題】  遊技領域の拡大化の要求を満たしながら、遊技領域上方から落下させるパチンコ球の落下位置を簡単に且つ精度良く調整することができるようにする。    【解決手段】  遊技領域１３下方に球打上げ装置２２を配置すると共に、遊技盤１２の後面側に案内通路２４を設け、球打上げ装置２２で打上げたパチンコ球を遊技盤１２後面側の案内通路２４を通して遊技領域１３上方の左端側に供給し、そのパチンコ球が傾斜レール２６に沿って遊技領域１３上方の左端側から右端側へ向けて転動するようにする。そして、傾斜レール２６に沿って左右方向に移動可能な落下位置調整部材２７の移動位置を操作ハンドル２１で操作して、傾斜レール２６に沿って転動するパチンコ球が落下位置調整部材２７の球案内壁３５に案内されて傾斜レール２６から落下する位置を調整することで、遊技領域１３に対するパチンコ球の左右方向の落下位置を調整する。    【選択図】  図１
2006255311.tif 000002
【特許請求の範囲】
【請求項１】
遊技機の遊技領域上方から遊技球を落下させて該遊技領域内に該遊技球を供給する遊技機の球供給構造において、
前記遊技球を前記遊技領域下方から該遊技領域よりも前方又は後方を通して該遊技領域上方の一端側へ供給する球供給手段と、
前記球供給手段により前記遊技領域上方の一端側に供給された遊技球を該遊技領域上方の一端側から他端側へ向けて転動させるように傾斜して配置された傾斜通路と、
前記傾斜通路に沿って左右方向に移動可能に設けられ、前記傾斜通路を転動する遊技球を前記遊技領域へ落下させるように案内する球案内壁と、
前記球案内壁の左右方向の移動位置を操作する操作手段とを備え、
前記操作手段で前記球案内壁の左右方向の移動位置を操作して前記遊技球の落下位置を調整するように構成されていることを特徴とする遊技機の球供給構造。
【請求項２】
前記球供給手段は、前記遊技領域下方に配置された球打上げ装置と、前記遊技領域よりも前方又は後方に設けられて前記球打上げ装置から打上げられた遊技球を該遊技領域上方の一端側へ案内する案内通路とを備えていることを特徴とする請求項１に記載の遊技機の球供給構造。
【請求項３】
前記案内通路は、前記遊技領域が前面に形成された遊技盤の後面側に設けられていることを特徴とする請求項２に記載の遊技機の球供給構造。
【請求項４】
前記案内通路は、前記遊技領域の前方に配置されたガラス扉に設けられていることを特徴とする請求項２に記載の遊技機の球供給構造。
【請求項５】
前記案内通路内を移動する遊技球を遊技者が視認できるように構成されていることを特徴とする請求項４に記載の遊技機の球供給構造。
【請求項６】
前記球供給手段により前記遊技領域上方の一端側に供給される遊技球を減速させて前記傾斜通路へ供給する減速手段を備えていることを特徴とする請求項１乃至５のいずれかに記載の遊技機の球供給構造。
【発明の詳細な説明】
【技術分野】
【０００１】
本発明は、遊技機の遊技領域上方から遊技球を落下させて該遊技領域内に該遊技球を供給する遊技機の球供給構造に関するものである。
【背景技術】
【０００２】
一般に、パチンコ機等の遊技機は、遊技盤の前面に遊技領域を形成して、この遊技領域の下方に球発射装置を配置し、この球発射装置で発射した遊技球を略円弧状の案内レール（外レール）に沿って遊技領域の側方から上方に打ち込んで遊技領域内に落下させるようにしている。その際、発射操作ハンドルで球発射装置の発射力を操作して遊技球の飛び量を調整することで遊技領域に対する遊技球の左右方向の落下位置を調整するようにしている。
【０００３】
このように球発射装置の発射力を操作して遊技球の落下位置を調整する従来方式では、遊技球の落下位置を調整する際に、熟練者でないと遊技球の落下位置を速やかに所望の狙い位置に調整することが難しく、無駄球（所望の狙い位置に落下しない遊技球）が多くなってしまう。
【０００４】
そこで、特許文献１（特開平１０−１５１５７号公報）に記載されているように、遊技領域上方に、遊技球を放出する放出ノズルを左右方向に揺動可能に設け、操作ハンドルで放出ノズルの方向（遊技球の放出方向）を操作して遊技球の落下位置を調整するようにしたものがある。
【０００５】
また、特許文献２（特開平１０−２０１８９９号公報）に記載されているように、遊技領域上方に、遊技球が転動する球通路を左右方向に延びるように配置して、この球通路の底面に、遊技球を落下させる落下口を左右方向に移動可能に設け、操作ハンドルで落下口の移動位置を操作して遊技球の落下位置を調整するようにしたものもある。
【特許文献１】特開平１０−１５１５７号公報（第２頁、第１図等）
【特許文献２】特開平１０−２０１８９９号公報（第２頁、第１図等）
【発明の開示】
【発明が解決しようとする課題】
【０００６】
しかし、上記特許文献１のように、放出ノズルの方向を操作して遊技球の落下位置を調整する方式では、連続的に供給される遊技球を放出ノズル内に流し込む必要があるため、放出ノズルの入口付近等で球詰りが発生する可能性がある。この対策として、放出ノズルの孔径を大きくすると、遊技球の落下位置を精度良く調整することができなくなるという欠点がある。
【０００７】
また、上記特許文献２のように、球通路底面の落下口の移動位置を操作して遊技球の落下位置を調整する方式では、球通路を転動する遊技球が落下口を飛び越えて、落下口とは別の場所から遊技球が落下する誤落下が発生する可能性がある。この対策として、落下口を大きくすると、遊技球の落下位置を精度良く調整することができなくなるという欠点がある。
【０００８】
また、従来の一般的な遊技機は、遊技盤の前面（表面）で遊技領域の側方位置に、球発射装置から発射した遊技球を遊技領域上方に案内する案内通路を案内レール等によって形成するため、この案内通路で遊技領域の特に横方向の拡大が制限されて、遊技領域を十分に拡大化することができないという欠点がある。
【０００９】
本発明は、これらの事情を考慮してなされたものであり、従って本発明の目的は、熟練者でなくても遊技球の落下位置を簡単に且つ精度良く調整することができると共に、遊技領域の拡大化の要求を満たすことができる球供給構造を提供することにある。
【課題を解決するための手段】
【００１０】
上記目的を達成するために、請求項１に係る発明は、遊技機の遊技領域上方から遊技球を落下させて該遊技領域内に該遊技球を供給する遊技機の球供給構造において、遊技球を遊技領域下方から該遊技領域よりも前方又は後方を通して該遊技領域上方の一端側へ供給する球供給手段と、この球供給手段により遊技領域上方の一端側に供給された遊技球を該遊技領域上方の一端側から他端側へ向けて転動させるように傾斜して配置された傾斜通路と、この傾斜通路に沿って左右方向に移動可能に設けられて傾斜通路を転動する遊技球を遊技領域へ落下させるように案内する球案内壁と、この球案内壁の左右方向の移動位置を操作する操作手段とを備え、操作手段で球案内壁の左右方向の移動位置を操作して遊技球の落下位置を調整するように構成したものである。
【００１１】
この構成では、遊技球を遊技領域下方から該遊技領域よりも前方又は後方を通して該遊技領域上方の一端側へ供給するため、遊技球を遊技領域下方から遊技領域上方へ供給するための通路等が遊技領域よりも前方又は後方に配置されて遊技領域の特に横方向の拡大が遊技球の通路等で制限されず、遊技領域を十分に拡大化することができる。また、操作手段で操作した球案内壁の移動位置が遊技球の落下位置の目安となって遊技球の落下位置をある程度予測することができるため、遊技球の落下位置を簡単に所望の狙い位置に調整することができ、無駄球を少なくすることができる。しかも、放出ノズルや落下口ではなく、球案内壁で遊技球を遊技領域へ落下させるため、球詰りや誤落下を発生させることなく、傾斜通路を転動する遊技球を球案内壁の移動位置で確実に遊技領域へ落下させることができ、遊技球の落下位置を精度良く調整することができる。また、本発明では、従来の一般的な遊技機（球発射装置の発射力を操作して遊技球の落下位置を調整する遊技機）では遊技球を落下させるのが困難であった領域（例えば遊技領域の左端部等）にも遊技球を簡単に落下させることが可能となり、従来にはない新たな盤面構成（役物の配置等）や新規な形状の遊技領域を実現できるという利点もある。
【００１２】
この場合、請求項２のように、球供給手段は、遊技領域下方に配置された球打上げ装置と、遊技領域よりも前方又は後方に設けられて球打上げ装置から打上げられた遊技球を該遊技領域上方の一端側へ案内する案内通路とを設けるようにすると良い。このようにすれば、遊技領域下方に配置された球皿内の遊技球を球打上げ装置から打上げて遊技領域上方の一端側まで移動させることができるため、球皿内の遊技球を遊技領域上方の一端側まで持ち上げる装置を新たに設ける必要がなく、低コスト化することができる。
【００１３】
また、請求項３のように、案内通路は、遊技領域が前面に形成された遊技盤の後面側に設けるようにすると良い。このようにすれば、遊技領域よりも後方に案内通路を配置することができて、遊技領域の特に横方向の拡大が案内通路で制限されず、遊技領域を容易に拡大化することができる。
【００１４】
或は、請求項４のように、案内通路は、遊技領域の前方に配置されたガラス扉に設けるようにしても良い。このようにすれば、遊技領域よりも前方に案内通路を配置することができて、遊技領域の特に横方向の拡大が案内通路で制限されず、遊技領域を容易に拡大化することができる。
【００１５】
この場合、請求項５のように、案内通路内を移動する遊技球を遊技者が視認できるように構成すると良い。このようにすれば、案内通路内を移動する遊技球（つまり、球打上げ装置から打上げられる遊技球）を遊技者が視認することができるため、遊技者に対する視覚的効果を向上させることができると共に、遊技者に安心感を与えることができる。また、球打上げ装置から打上げられる遊技球と遊技領域を流下する遊技球とが前後方向に重なる場合も発生するため、従来にはない視覚的効果も得られる。
【００１６】
更に、請求項６のように、球供給手段により遊技領域上方の一端側に供給される遊技球を減速させて傾斜通路に供給する減速手段を設けるようにしても良い。このようにすれば、遊技領域上方の一端側に供給される際の遊技球の速度ばらつきの影響を小さくして、傾斜通路を転動する遊技球の流下速度（ひいては遊技球が球案内壁に当るときの流下速度）のばらつきを小さくすることができ、遊技球の落下位置の調整精度を更に向上させることができる。
【発明を実施するための最良の形態】
【００１７】
以下、本発明を実施するための最良の形態を５つの実施例１〜５を用いて説明する。
【実施例１】
【００１８】
本発明の実施例１を図１乃至図７に基づいて説明する。
まず、図１に基づいてパチンコ機（遊技機）の前面側の概略構成を説明する。パチンコ機１１の本体枠２９には、遊技盤１２が取り付けられ、この遊技盤１２の前面に、遊技領域１３が内レール１４等によって区画形成されている。この遊技領域１３の中央部には、センター役物１６（図柄表示装置）が設けられ、このセンター役物１６の下方に、始動入賞装置１７と可変入賞装置１８が設けられ、これ以外の遊技領域１３の複数箇所に、通常の入賞口１９等が設けられている。また、遊技盤１２の前方（遊技領域１３の前方）には、ガラス扉４４が本体枠２９に対して開閉可能に設けられている。このガラス扉４４は、略方形状のガラス枠４５に窓ガラス４６（図２参照）が取り付けられている。
【００１９】
一方、パチンコ機１１の前面側下部には、パチンコ球（遊技球）を貯溜する球皿２０や後述する落下位置調整部材２７を操作する操作ハンドル２１（操作手段）等が設けられ、パチンコ機１１の左側下部（遊技領域１３の左側下方）には、球皿２０から供給されるパチンコ球を打上げる球打上げ装置２２が設けられている。この球打上げ装置２２は、打球槌２３でパチンコ球を下方から打撃することで、パチンコ球をほぼ鉛直上方に打ち上げるようになっている。
【００２０】
図１乃至図３に示すように、遊技盤１２の左端側の後面には、断面略Ｌ字形状の案内レール１５が遊技領域１３下方から遊技領域１３上方へ延びるように取り付けられ、この案内レール１５と遊技盤１２の後面等によって該遊技盤１２の後面側に案内通路２４が形成されている。球打上げ装置２２から打上げられたパチンコ球は、この遊技盤１２の後面側に設けられた案内通路２４を通って遊技領域１３上方に供給されるようになっている。これらの球打上げ装置２２、案内通路２４等から球供給手段が構成されている。
【００２１】
図１に示すように、案内通路２４の案内レール１５は、パチンコ機１１中央側が内周側となるように緩やかに湾曲して形成され、球打上げ装置２２から打上げられたパチンコ球が案内レール１５に沿って移動することで遊技領域１３上方の左端側へ案内されるようになっている。また、図１及び図２に示すように、遊技盤１２には、該遊技盤１２を貫通する貫通窓４７が案内通路２４に沿って延びるように形成され、この貫通窓４７によって遊技盤１２の後面側に設けられた案内通路２４内を移動するパチンコ球を遊技者が視認できるようになっている。この貫通窓４７の開口部は、ガラス、プラスチック等の透明性又は半透明性の部材で塞ぐようにしても良い。
【００２２】
また、図２に示すように、遊技盤１２の下方に配置された球打上げ装置２２は、少なくとも打球槌２３の打撃位置が遊技盤１２の後面側に位置するように配置され、球皿２０から供給されるパチンコ球を遊技盤１２の後面側から上方へ打上げて案内通路２４内へ打ち込むようになっている。一方、図３に示すように、遊技盤１２の上方には、案内通路２４の出口通路部２８が設けられている。この出口通路部２８は、案内レール１５の上端部と本体枠２９の上側内壁面２９ａとによって形成され、案内通路２４内を上方へ移動するパチンコ球を遊技盤１２の前面側へ案内するように逆Ｕ字形状に湾曲して形成されている。
【００２３】
次に、遊技領域１３上方に供給されるパチンコ球の落下位置を調整する落下位置調整機構について説明する。図１に示すように、案内通路２４の出口通路部２８には、該出口通路部２８から排出されるパチンコ球を減速させる減速通路２５（減速手段）が接続されている。この減速通路２５の後方には、左右方向に延びる傾斜レール２６（傾斜通路）が、減速通路２５から供給されるパチンコ球を遊技領域１３上方の左端側から右端側へ向けて転動させるように右方に向かって下り傾斜して配置され、この傾斜レール２６の上面側に、パチンコ球の落下位置を調整する落下位置調整部材２７が、遊技者がその位置を認識可能なように傾斜レール２６に沿って左右方向に移動可能に設けられている。
【００２４】
図３に示すように、減速通路２５は、案内通路２４の出口通路部２８から排出されたパチンコ球を傾斜レール２６の上流部へ流下させるように湾曲して形成され、案内通路２４の出口通路部２８から排出されたパチンコ球を急減速させると共に該パチンコ球が当ったときの衝突音の発生を防止するようになっている。また、減速通路２５は、パチンコ球の衝突音が発生しにくい材料（例えば、樹脂、ゴム、ラバー材等）で形成されている。
【００２５】
図４及び図５に示すように、傾斜レール２６は、該傾斜レール２６を転動するパチンコ球の中心が遊技盤１２の前面よりも後方に位置するように設けられて、遊技盤１２の前面よりも後方に傾斜レール２６が配置されている。これにより、傾斜レール２６の前方（遊技盤１２の前面とその前方に配置された窓ガラス４６との間）にパチンコ球が落下するスペースを確保するようにしている。また、傾斜レール２６は、後方に向かってやや下り傾斜するように配置され、パチンコ球が傾斜レール２６の後方側の壁面（後述する支持部材３０の壁面）に接触して転動するようになっている。これにより、傾斜レール２６を転動するパチンコ球が落下位置調整部材２７以外の場所で傾斜レール２６の前方へ落下することを防止するようにしている。
【００２６】
また、傾斜レール２６の後方には、落下位置調整部材２７を移動可能に支持する支持部材３０が配置されている。この支持部材３０には、傾斜レール２６に沿って延びるスリット３１（図１参照）が形成され、このスリット３１に、落下位置調整部材２７の裏面側に固定された支持軸３２が挿通されて支持されることで、落下位置調整部材２７がスリット３１に沿って移動できるようになっている。支持部材３０の上部には、傾斜レール２６に沿って延びる凹溝３３が形成され、落下位置調整部材２７の上部に設けられた突起部３４が支持部材３０の凹溝３３に嵌合されることで、落下位置調整部材２７が支持部材３０に対して前後方向に抜け止め保持されている。
【００２７】
図５に示すように、落下位置調整部材２７の左側部には、パチンコ球を遊技領域１３へ落下させるように案内する球案内壁３５が形成されている。この球案内壁３５は、傾斜レール２６に沿って右方へ転動するパチンコ球を傾斜レール２６に対してほぼ垂直方向前方へ案内する凹面形状に形成されている。これにより、図１に示すように、傾斜レール２６に沿って遊技領域１３上方の左端側から右端側へ向けて転動するパチンコ球が球案内壁３５によって傾斜レール２６に対してほぼ垂直方向前方へ案内されて傾斜レール２６から略鉛直下方に向けて落下するようになっている。また、遊技盤１２の前方に配置された窓ガラス４６の内面には、傾斜レール２６及びその周辺に対向する部分に透明性又は半透明性の衝撃吸収シート３６（図４及び図５参照）が貼着され、この衝撃吸収シート３６によってパチンコ球が衝突したときの衝撃を吸収するようにしている。
【００２８】
一方、図６に示すように、遊技盤１２の裏面側には、ステッピングモータ３７で回動駆動される駆動プーリ３８と、回動自在な従動プーリ３９とが所定の間隔を隔てて配置され、これらの駆動プーリ３８と従動プーリ３９に、ワイヤ、チェーン、ベルト、ケーブルラック（ワイヤ等を芯材とした曲げ変形可能なラック）等のベルト部材４０が掛け渡されている。この両プーリ３８，３９に掛け渡されたベルト部材４０の下側部分に、落下位置調整部材２７の支持軸３２がベルト部材４０の下側部分と一体的に左右方向にスライド移動するように連結されている。
【００２９】
これにより、ステッピングモータ３７の回動による駆動プーリ３８の回動に伴ってベルト部材４０の下側部分が左右方向に移動すると、その駆動力が支持軸３２を介して落下位置調整部材２７に伝達されて、落下位置調整部材２７が傾斜レール２６に沿って左右方向に移動するようになっている。
【００３０】
また、図７に示すように、操作ハンドル２１には、遊技者が操作ハンドル２１に触れたことを検出するタッチセンサ４１と、操作ハンドル２１の回動方向と回動量を検出する回動センサ４２が設けられている。これらのタッチセンサ４１と回動センサ４２の出力信号は、パチンコ機１１の制御回路４３に入力される。この制御回路４３は、タッチセンサ４１と回動センサ４２の出力信号に基づいて球打上げ装置２２とステッピングモータ３７を次のように制御する。
【００３１】
制御回路４３は、遊技者が操作ハンドル２１に触れたことをタッチセンサ４１で検出したときに、球打上げ装置２２を一定の打上げ力で打上げ動作させる。これにより、球打上げ装置２２から打上げられたパチンコ球が遊技領域１３下方から遊技盤１２の後面側に設けられた案内通路２４を通って遊技領域１３上方の左端側に供給され、そのパチンコ球が減速通路２５で減速された後に傾斜レール２６に沿って遊技領域１３上方の左端側から右端側へ向けて転動する。
【００３２】
更に、制御回路４３は、操作ハンドル２１が正回転方向（例えば図１において反時計回り方向）に回動されたことを回動センサ４２で検出したときには、その回動量に応じてステッピングモータ３７を正回転方向（例えば図６において時計回り方向）に回動させて、ベルト部材４０の下側部分を左方向に移動させる。これにより、操作ハンドル２１の正回転方向の回動量に応じて落下位置調整部材２７を傾斜レール２６に沿って左方向に移動させる。
【００３３】
一方、操作ハンドル２１が逆回転方向（例えば図１において時計回り方向）に回動されたことを回動センサ４２で検出したときには、その回動量に応じてステッピングモータ３７を逆回転方向（例えば図６において反時計回り方向）に回動させて、ベルト部材４０の下側部分を右方向に移動させる。これにより、操作ハンドル２１の逆回転方向の回動量に応じて落下位置調整部材２７を傾斜レール２６に沿って右方向に移動させる。
【００３４】
このようにして、操作ハンドル２１で落下位置調整部材２７（球案内壁３５）の左右方向の移動位置を操作して、傾斜レール２６に沿って遊技領域１３上方の左端側から右端側へ向けて転動するパチンコ球が球案内壁３５に案内されて傾斜レール２６から落下する位置を調整することで、遊技領域１３に対するパチンコ球の左右方向の落下位置を調整するようになっている。
【００３５】
尚、タッチセンサ４１に代えて、球打上げ装置２２の打上げ動作を開始／停止させる打上げスイッチを操作ハンドル２１又はそれ以外の場所（例えばパチンコ機１１の前面パネル等）に設けた構成としても良い。この場合、操作ハンドル２１で落下位置調整部材２７（球案内壁３５）の左右方向の移動位置を操作した後に、打上げスイッチで球打上げ装置２２の打上げ動作を開始することができる。
【００３６】
以上説明した本実施例１では、パチンコ球を遊技領域１３下方から遊技領域１３上方へ供給するための案内通路２４を遊技盤１２の後面側に設けて、遊技領域１３（遊技盤１２の表面）よりも後方に案内通路２４を配置するようにしたので、遊技領域１３の特に横方向の拡大が案内通路２４で制限されず、遊技領域１３を十分に拡大化することができる。
【００３７】
また、操作ハンドル２１で操作した落下位置調整部材２７（球案内壁３５）の移動位置がパチンコ球の落下位置の目安となってパチンコ球の落下位置をある程度予測することができるため、パチンコ球の落下位置を簡単に所望の狙い位置に調整することができ、無駄球を少なくすることができる。しかも、傾斜レール２６を転動するパチンコ球を球案内壁３５で案内して遊技領域１３へ落下させるため、球詰りや誤落下を発生させることなく、傾斜レール２６を転動するパチンコ球を球案内壁３５の移動位置で確実に遊技領域１３へ落下させることができ、パチンコ球の落下位置を精度良く調整することができる。また、従来の一般的なパチンコ機（球発射装置の発射力を操作してパチンコ球の落下位置を調整するパチンコ機）ではパチンコ球を落下させるのが困難であった領域（例えば遊技領域の左端部等）にもパチンコ球を簡単に落下させることが可能となり、従来にはない新たな形状や盤面構成（役物の配置等）の遊技領域１３を実現できるという利点もある。
【００３８】
また、本実施例１では、遊技領域１３の下方に球打上げ装置２２を配置し、球皿２０から供給されるパチンコ球を球打上げ装置２２から打上げて該パチンコ球が案内通路２４を通って遊技領域１３上方の左端側に供給されるようにしたので、球皿２０内のパチンコ球を遊技領域１３上方まで持ち上げる装置を新たに設ける必要がなく、低コスト化することができる。また、球打上げ装置２２の打上げ力を一定値に保つだけで良いので、従来の球発射装置のように発射力を可変してパチンコ球の落下位置を調整する方式に比べて、発射制御（打上げ制御）を簡易化して低コスト化することができる。
【００３９】
更に、本実施例１では、球打上げ装置２２から供給されるパチンコ球を減速通路２５で減速させて傾斜レール２６に供給するようにしたので、球打上げ装置２２から供給されるパチンコ球の速度ばらつきの影響を小さくして、傾斜レール２６を転動するパチンコ球の流下速度（ひいてはパチンコ球が球案内壁３５に当るときの流下速度）のばらつきを小さくすることができ、パチンコ球の落下位置の調整精度を更に向上させることができる。
【００４０】
しかも、本実施例１では、減速通路２５を、パチンコ球が当ったときの衝突音の発生を防止する形状や材料で形成したので、パチンコ球が減速通路２５に当ったときに不快な衝突音が発生することを防止することができる。
【００４１】
尚、上記実施例１では、遊技盤１２の後面に案内通路２４を設けたが、これに限定されず、遊技領域１３よりも後方に位置する他の部分（例えば、遊技盤１２の側方の本体枠２９において遊技領域１３の後方に位置する部分、遊技盤１２の内部、遊技盤１２の裏側に配設された機構板等）に案内通路を設けるようにしても良い。
【実施例２】
【００４２】
次に、図８乃至図１０を用いて本発明の実施例２を説明する。但し、前記実施例１と実質的に同一部分には同一符号を付して説明を簡略化し、主として前記実施例１と異なる部分について説明する。
【００４３】
本実施例２では、図９及び図１０に示すように、遊技盤１２の前方（遊技領域１３の前方）に設けられたガラス扉４４のガラス枠４５には、２枚の窓ガラス４６を所定の間隔（パチンコ球の直径よりも少し大きい程度の寸法）を隔ててほぼ平行に保持したガラス保持枠５０が取り付けられ、このガラス保持枠５０の左側部に設けられた通路壁４８と２枚の窓ガラス４６等によって２枚の窓ガラス４６間に案内通路４９が形成されている。球打上げ装置２２から打上げられたパチンコ球は、このガラス扉４４の２枚の窓ガラス４６間に設けられた案内通路４９を通って遊技領域１３上方に供給されるようになっている。これにより、案内通路４９内を移動するパチンコ球（つまり、球打上げ装置２２から打上げられるパチンコ球）を遊技者が視認できるようになっている。
【００４４】
図８に示すように、案内通路４９の通路壁４８は、パチンコ機１１中央側が内周側となるように緩やかな凹面形状に形成され、球打上げ装置２２から打上げられたパチンコ球が通路壁４８に沿って移動することで遊技領域１３上方の左端側へ案内されるようになっている。
【００４５】
また、図９に示すように、遊技盤１２の下方に配置された球打上げ装置２２は、少なくとも打球槌２３の打撃位置が２枚の窓ガラス４６の真下に位置するように配置され、球皿２０から供給されるパチンコ球を２枚の窓ガラス４６の真下から上方に打上げて２枚の窓ガラス４６間の案内通路４９内へ打ち込むようになっている。一方、図１０に示すように、遊技盤１２の上方には、案内通路４９の出口通路部５２が設けられている。この出口通路部５２は、ガラス保持枠５０の上側内壁面５０ａと本体枠２９の上側内壁面２９ａとによって形成され、案内通路４９内を上方へ移動するパチンコ球をガラス扉４４の後面側（後面側の窓ガラス４６と遊技盤１２との間）へ案内するように逆Ｕ字形状に湾曲して形成されている。
【００４６】
これにより、球打上げ装置２２から打上げられたパチンコ球が遊技領域１３下方からガラス扉４４の２枚の窓ガラス４６間に設けられた案内通路４９を通って遊技領域１３上方の左端側に供給され、そのパチンコ球が減速通路２５で減速された後に傾斜レール２６に沿って遊技領域１３上方の左端側から右端側へ向けて転動する。
【００４７】
以上説明した本実施例２では、パチンコ球を遊技領域１３下方から遊技領域１３上方へ供給するための案内通路４９をガラス扉４４の２枚の窓ガラス４６間に設けて、遊技領域１３（遊技盤１２の表面）よりも前方に案内通路４９を配置するようにしたので、遊技領域１３の特に横方向の拡大が案内通路４９で制限されず、遊技領域１３を十分に拡大化することができる。
【００４８】
しかも、本実施例２では、２枚の窓ガラス４６間に案内通路４９を設けることで、案内通路４９内を移動するパチンコ球（つまり、球打上げ装置２２から打上げられるパチンコ球）を遊技者が視認できるようにしたので、遊技者に対する視覚的効果を向上させることができると共に、遊技者に安心感を与えることができる。また、球打上げ装置２２から打上げられるパチンコ球と遊技領域１３を流下するパチンコ球とが前後方向に重なる場合も発生するため、従来にはない視覚的効果も得られる。
【００４９】
尚、上記実施例２では、ガラス扉４４の２枚の窓ガラス４６間に案内通路４９を設けたが、これに限定されず、遊技領域１３よりも前方に位置する他の部分（例えば、ガラス枠４５の内部、ガラス保持枠５０の内部、遊技盤１２の側方の本体枠２９において遊技領域１３の前方に位置する部分等）に案内通路を設けるようにしても良い。
【実施例３】
【００５０】
次に、図１１を用いて本発明の実施例３を説明する。本実施例３では、遊技盤１２の裏面側に、ステッピングモータ３７で回動駆動される駆動プーリ３８と、ワイヤ５４を巻き取る巻取ローラ５５とが所定の間隔を隔てて配置されている。この巻取ローラ５５は、ゼンマイ等の付勢手段によりワイヤ５４を巻き取る方向（図１１において時計回り方向）に回動付勢され、この巻取ローラ５５にワイヤ５４の一端側が巻き回され、駆動プーリ３８にワイヤ５４の他端側が巻き回されている。このワイヤ５４の所定箇所に、落下位置調整部材２７の支持軸３２がワイヤ５４と一体的に左右方向にスライド移動するように連結されている。
【００５１】
これにより、ステッピングモータ３７の回動による駆動プーリ３８の回動に伴ってワイヤ５４が左右方向に移動すると、その駆動力が支持軸３２を介して落下位置調整部材２７に伝達されて、落下位置調整部材２７が傾斜レール２６に沿って左右方向に移動するようになっている。
【００５２】
パチンコ機１１の制御回路４３は、操作ハンドル２１が正回転方向に回動されたときに、その回動量に応じてステッピングモータ３７を正回転方向に回動させてワイヤ５４を左方向に移動させることで、操作ハンドル２１の正回転方向の回動量に応じて落下位置調整部材２７を傾斜レール２６に沿って左方向に移動させる。
【００５３】
一方、操作ハンドル２１が逆回転方向に回動されたときに、その回動量に応じてステッピングモータ３７を逆回転方向に回動させてワイヤ５４を右方向に移動させることで、操作ハンドル２１の逆回転方向の回動量に応じて落下位置調整部材２７を傾斜レール２６に沿って右方向に移動させる。
【００５４】
以上説明した本実施例３においても、操作ハンドル２１で落下位置調整部材２７（球案内壁３５）の左右方向の移動位置を操作してパチンコ球の落下位置を調整することができ、前記実施例１と同じ効果を得ることができる。
【実施例４】
【００５５】
図１２に示す本発明の実施例４では、リニアソレノイド、油圧シリンダ、エアシリンダ等のリニアアクチュエータ５６で落下位置調整部材２７を駆動するようにしている。このリニアアクチュエータ５６は、プランジャ５７が傾斜レール２６と平行方向にスライド移動するように配置され、このプランジャ５７の先端部に、落下位置調整部材２７の支持軸３２がプランジャ５７と一体的に左右方向にスライド移動するように連結されている。
【００５６】
これにより、リニアアクチュエータ５６のプランジャ５７が左右方向に移動すると、その駆動力が支持軸３２を介して落下位置調整部材２７に伝達されて、落下位置調整部材２７が傾斜レール２６に沿って左右方向に移動するようになっている。
【００５７】
パチンコ機１１の制御回路４３は、操作ハンドル２１が正回転方向に回動されたときに、その回動量に応じてリニアアクチュエータ５６のプランジャ５７を左方向に移動させることで、操作ハンドル２１の正回転方向の回動量に応じて落下位置調整部材２７を傾斜レール２６に沿って左方向に移動させる。
【００５８】
一方、操作ハンドル２１が逆回転方向に回動されたときに、その回動量に応じてリニアアクチュエータ５６のプランジャ５７を右方向に移動させることで、操作ハンドル２１の逆回転方向の回動量に応じて落下位置調整部材２７を傾斜レール２６に沿って右方向に移動させる。
【００５９】
以上説明した本実施例４においても、操作ハンドル２１で落下位置調整部材２７（球案内壁３５）の左右方向の移動位置を操作してパチンコ球の落下位置を調整することができ、前記実施例１と同じ効果を得ることができる。
【実施例５】
【００６０】
図１３に示す本発明の実施例５では、リニアモータ５８で落下位置調整部材２７を駆動するようにしている。このリニアモータ５８は、移動テーブル５９が左右方向にスライド移動するように横向きに配置され、移動テーブル５９側に固定した１次側コイル６０に発生する移動磁界と、レール６１側に固定した２次側導体６２に流れる電流とによって発生する電磁力を推進力として、移動テーブル５９を左右方向にスライド移動させるようになっている。このリニアモータ５８の移動テーブル５９に、落下位置調整部材２７の支持軸３２が移動テーブル５９と一体的に左右方向にスライド移動するように連結されている。
【００６１】
これにより、リニアモータ５８の移動テーブル５９が左右方向に移動すると、その駆動力が支持軸３２を介して落下位置調整部材２７に伝達されて、落下位置調整部材２７が傾斜レール２６に沿って左右方向に移動するようになっている。
【００６２】
パチンコ機１１の制御回路４３は、操作ハンドル２１が正回転方向に回動されたときに、その回動量に応じてリニアモータ５８の移動テーブル５９を左方向に移動させることで、操作ハンドル２１の正回転方向の回動量に応じて落下位置調整部材２７を傾斜レール２６に沿って左方向に移動させる。
【００６３】
一方、操作ハンドル２１が逆回転方向に回動されたときに、その回動量に応じてリニアモータ５８の移動テーブル５９を右方向に移動させることで、操作ハンドル２１の逆回転方向の回動量に応じて落下位置調整部材２７を傾斜レール２６に沿って右方向に移動させる。
【００６４】
以上説明した本実施例５においても、操作ハンドル２１で落下位置調整部材２７（球案内壁３５）の左右方向の移動位置を操作してパチンコ球の落下位置を調整することができ、前記実施例１と同じ効果を得ることができる。
【００６５】
尚、上記各実施例１〜５では、傾斜レール２６全体を遊技盤１２の前面よりも後方に配置したが、傾斜レール２６の前方にパチンコ球が落下するスペースを確保できれば、傾斜レール２６の一部又は全体が遊技盤１２の前面よりも前方に突出するように傾斜レール２６を配置しても良い。
【００６６】
また、上記各実施例１〜５では、遊技領域１３上方の左端側にパチンコ球を供給して該パチンコ球を傾斜レール２６で右端側へ転動させる構成としたが、これとは逆に、遊技領域１３上方の右端側にパチンコ球を供給して該パチンコ球を傾斜レール２６で左端側へ転動させる構成としても良い。
【００６７】
また上記各実施例１〜５では、パチンコ機１１下部の一端側に配置した球打上げ装置２２から略鉛直上方にパチンコ球を打ち上げる構成としたが、これに限定されず、パチンコ機１１下部の一端側に配置した球打上げ装置２２から他端側の上方に向けて斜め上方にパチンコ球を打ち上げる方式でも良いし、パチンコ機１１下部の中央に配置した球打上げ装置２２から斜め上方にパチンコ球を打ち上げる方式でも良い。更に、球皿２０内のパチンコ球を球打上げ装置２２で遊技領域１３上方の一端側に供給する構成に限定されず、球皿２０内のパチンコ球を遊技領域１３上方の一端側まで持ち上げる装置を備えた構成としても良い。いずれの場合も、パチンコ球を遊技領域１３下方から遊技領域１３よりも前方又は後方を通して遊技領域１３上方の一端側へ供給する構成とすれば良い。
【００６８】
また、落下位置調整部材２７の初期位置を左側にして、操作ハンドル２１の操作に応じて落下位置調整部材２７が右側に移動するようにしても良い。
また、落下位置調整部材２７の移動（駆動）が所定時間停止した後に、球打上げ装置２２が打上げ動作を開始する制御を行うようにしても良い。
【００６９】
また、パチンコ機１１の電源投入後に、落下位置調整部材２７を初期位置に移動させる（戻す）制御を行うようにしても良い。
また、傾斜レール２６（傾斜通路）は、直線的な形状に限定されず、曲線的な形状（例えば一端側が急で他端側に向かうにつれて緩やかになる放物曲線状）としても良い。
【００７０】
また、減速通路２５（減速手段）は、パチンコ球の勢いを吸収することで減速させるような部材（例えば、ゴム、ラバー材等）を用いてパチンコ球を減速させる構成としても良い。
また、本発明の適用範囲は、一般のパチンコ機に限定されず、アレンジ式のパチンコ機等、遊技領域上方から遊技球を落下させる種々の遊技機に本発明を適用しても良い。
【図面の簡単な説明】
【００７１】
【図１】本発明の実施例１におけるパチンコ機の正面図である。
【図２】実施例１の案内通路及びその周辺の横断面図である。
【図３】実施例１の案内通路の出口通路部及びその周辺の縦断面図である。
【図４】実施例１の落下位置調整部材及びその周辺の縦断面図である。
【図５】実施例１の落下位置調整部材及びその周辺の横断面図である。
【図６】実施例１の落下位置調整部材及びその周辺の正面図である。
【図７】実施例１の落下位置調整機構等の電気的構成を示すブロック図である。
【図８】実施例２におけるパチンコ機の正面図である。
【図９】実施例２の案内通路及びその周辺の横断面図である。
【図１０】実施例２の案内通路の出口通路部及びその周辺の縦断面図である。
【図１１】実施例３の落下位置調整部材及びその周辺の正面図である。
【図１２】実施例４の落下位置調整部材及びその周辺の正面図である。
【図１３】実施例５の落下位置調整部材及びその周辺の縦断面図である。
【符号の説明】
【００７２】
１１…パチンコ機（遊技機）、１２…遊技盤、１３…遊技領域、１５…案内レール、２１…操作ハンドル（操作手段）、２２…球打上げ装置（球供給手段）、２４…案内通路（球供給手段）、２５…減速通路（減速手段）、２６…傾斜レール（傾斜通路）、２７…落下位置調整部材、２８…出口通路部、３５…球案内壁、３７…ステッピングモータ、３８…駆動プーリ、３９…従動プーリ、４０…ベルト部材、４４…ガラス扉、４５…ガラス枠、４６…窓ガラス、４８…通路壁、４９…案内通路、５２…出口通路部、５４…ワイヤ、５５…巻取ローラ、５６…リニアアクチュエータ、５７…プランジャ、５８…リニアモータ、５９…移動テーブル
【図１】
2006255311.tif 000003
【図２】
2006255311.tif 000004
【図３】
2006255311.tif 000005
【図４】
2006255311.tif 000006
【図５】
2006255311.tif 000007
【図６】
2006255311.tif 000008
【図７】
2006255311.tif 000009
【図８】
2006255311.tif 000010
【図９】
2006255311.tif 000011
【図１０】
2006255311.tif 000012
【図１１】
2006255311.tif 000013
【図１２】
2006255311.tif 000014
【図１３】
2006255311.tif 000015